(57)【要約】【課題】従来の着脱自在に小物を挿入して保持する装置は、目的を持った一定の大きさの小物しか利用の対象にならなかった。また、挿入する口径が狭く挿入しにくいとか、構造が複雑で製作に難点があるとかの課題が存在した。【解決手段】本体１の適度の大きさの開口部の表面に、適度の厚みを持ち適度の復原性がある弾性体のシート２を、該開口部を覆うように設け、シートの任意の位置に任意の放射状の形状で適度の長さの複数の切り込み３を表裏に貫通するように設けて、該切り込みに小物を差し込みシートの摩擦と弾性力により保持する構造のシート状小物保持具を課題の解決手段として提供する。【選択図】  図１
2004175086.tif 000002
【特許請求の範囲】
【請求項１】
本体（１）の適度の大きさの開口部の表面に、適度の厚みを持ち適度の復原性がある弾性体のシート（２）を、該開口部を覆うように設け、シートの任意の位置に任意の放射状の形状で適度の長さの複数の切り込み（３）を表裏に貫通するように設ける構造のシート状小物保持具。
【請求項２】
シート（２）に、ゴムシートを使用する構造の請求項１記載のシート状小物保持具。
【請求項３】
シート（２）に、一群の放射状の中心を別に持つ複数の放射状の切り込み群を設ける構造の請求項１記載のシート状小物保持具。
【請求項４】
本体（１）の背面に、直接、壁面等取り付け用の取り付け装置（４）を設ける構造の請求項１記載のシート状小物保持具。
【請求項５】
本体（１）の背面に、屈曲自在柄を設け、該屈曲自在柄に取り付け装置（４）を設ける構造の請求項１記載のシート状小物保持具。
【請求項６】
本体（１）の背面に、紐を設けて吊るす構造にする請求項１記載のシート状小物保持具。
【請求項７】
本体（１）の外形が、球形又は塊状にする構造の請求項１記載のシート状小物保持具。
【請求項８】
本体（１）が、基部とシート（２）設置部を装着自在に設ける構造の請求項１記載のシート状小物保持具。
【発明の詳細な説明】
【０００１】
【発明の属する技術分野】
本発明は、弾性体のシートの放射状の切り込みに、小物を差し込み保持する保持具に関する。
【０００２】
【従来の技術】
従来、鉛筆径よりやや大きめの内径を持つＣ型の挟持片の内側に発泡剤層を形成し、Ｃ型の挟持片の硬性と発泡剤層の弾性の組み合わせで鉛筆等を保持する筆記具用保持具の技術が知られている。（例えば、特許文献１参照）
また、警棒の径よりやや大きめの内径を持つ警棒支持環の内側に、弾性素材で形成した多数の円形突起を所定間隔に放射状に突設した警棒ホルダー用警棒支持環の技術が知られている。（例えば、特許文献２参照）
また、一方にふたがあり一方に開口部のある筒状の外枠の内面に、切り込みの入った薄いゴム板をふたに平行に数枚並べてペン類を把持するペンホルダーの技術が知られている。（例えば、特許文献３参照）
【０００３】
【特許文献１】実用新案第３０５５４９５号公報
【特許文献２】特開２００２−６２０９３号公報
【特許文献３】特開平１１−２０３７９号公報
【０００４】
【発明が解決しようとする課題】
従来の特許文献１は、鉛筆径よりやや大きめの内径を持つＣ型の挟持片の内側に発泡剤層を形成し、発泡剤層の弾力で鉛筆等を保持する技術で、Ｃ型の挟持片と内側の発泡剤層の内径とによって挟持する物は一定径のものに限られる。
また、挿入する入口が狭いため、入口をよく見ずに見当で鉛筆等を挿入することは難しい。
従来の特許文献２は、警棒の径よりやや大きめの内径を持つ警棒支持環の内側に、弾性素材で形成した多数の円形突起を所定間隔に放射状に突設した警棒ホルダー用警棒支持環の技術で、これは、一定径の警棒支持環と弾性素材の円形突起の組み合わせによって警棒を保持するもので、保持できるものは一定径の警棒に限られる。
また、挿入する入口が狭いため、入口をよく見ずに見当で警棒を挿入することは難しい。
従来の特許文献３は、一方にふたがあり一方に開口部のある筒状の外枠の内面に、切り込みの入った薄いゴム板をふたと平行に数枚並べて、開口部からペン類を挿入し把持するペンホルダーの技術で、筒状の内面に数枚の薄いゴム板を設ける工程が複雑で大量生産には向かない技術である。また、外径が筒状と限定している点は、ペンホルダーでは普遍的でよいが、他の小物の装着に使用するには形態が画一的過ぎる嫌いがある。
本発明が解決しようとする課題は、以上のような問題点をなくすことである。
【０００５】
【課題を解決するための手段】
本体の開口部の表面に、適度の復原性がある弾性体のシートを開口部を覆うように設け、シートに放射状の複数の切り込みを設け、切り込みに小物を差し込みシートの摩擦力と弾性力により保持するシート状小物保持具の構造を課題を解決するための手段として提供する。
【０００６】
【発明の実施の形態】
本発明のシート状の小物保持具の実施の形態は、本体の適度の大きさの開口部の表面に、適度の厚みを持ち適度の復原性がある弾性体のシートを、該開口部を覆うように設け、シートの任意の位置に任意の放射状の形状で適度の長さの複数の切り込みを表裏に貫通するように設け、該切り込みに小物を差し込みシートの摩擦力と弾性力により保持する構造である。
【実施例】
【０００７】
図によって実施例を説明する。
本発明のシート状小物保持具の実施例は、適度の大きさの開口面のある本体１の開口部の表面に、適度の厚みを持ち適度の復原性がある弾性体のシート２を該開口部を覆うように設け、シートの任意の位置に任意の放射状の形状で適度の長さの複数の切り込み３を表裏に貫通するように設け、該切り込みに小物を差し込みシートの摩擦力と弾性力により保持する構造である。
適度の復原性のある弾性体のシート２として、保持する物の重量に対応して、重量が大きくなる程、その重量に耐えるように使用するシート２の厚みを厚くして行く実施例がある。
適度の復原性のある弾性体のシート２として、適度の厚さを持つゴムシートを使用する実施例がある。
適度の復原性のある弾性体のシート２の設置は、できるだけ張力が働くように伸ばして設ける実施例がある。
適度の復原性のある弾性体のシート２に、一群の放射状の中心を別に持つ複数の放射状の切り込み群を設けた構造の実施例がある。
適度の復原性のある弾性体のシート２に設置した放射状の切り込みの中央付近に、シート切り欠き空白部を設け、隣り合う二つの切り込みに囲まれたシート片の先端を平滑にして、できた空白部の中をバナナなど太いものが楽に挿入でき、挿入されたバナナなどを一定期間保持し、子供など比較的小さい力で引き抜くことができる構造の実施例がある。
保持部の放射状の切り込み３は、保持する小物の大きさにより、切り込みの長さを変えるが、保持力を維持する為に、切り込みの長さをシート面の外寸法より短い範囲にする実施例がある。
保持部の放射状の切り込み３の数は、保持する小物の形状が複雑なもの程多く設ける実施例がある。
放射状の切り込み３の形が、直線の場合の実施例の外、切り込みの始点と終点の位置が全体の切り込みの配置において放射状の形をとっているが、その中間は複雑な形をとって、複雑な形の小物に対応する切り込みの形の実施例がある。
本体１の背面に、直接、吸盤・磁石・ネジクギ・引っ掛け等壁面取り付け用の取り付け装置４を設ける構造の実施例がある。
本体１の背面に、屈曲自在柄を設け、屈曲自在柄に接続して、吸盤・磁石・ネジクギ等壁面取り付け用の取り付け装置４を設ける構造の実施例がある。
本体１の背面に、紐を設けて吊るし、運動会のバナナ等を挿入して置き、競技の途中で下から引き抜く構造にする実施例がある。
本体１の外形が球形又は塊状又は壁状その他差し込む物に形状・デザイン等を合わせて形成する構造の実施例がある。
本体１が基部とシートの設置部を、ねじ込み・差し込み等に形成し、シートの設置部を基部に対して装着自在に設け、シートの設置部をシートの劣化の為の取り替えや、切り込みの種類の変更のために取り替え自由にするカートリッジ式の構造の実施例がある。
【０００８】
【発明の効果】
従来の特許文献１及び特許文献２は、保持する物の径よりやや大きめの内径を持つＣ型の挟持片又は警棒支持環の内側に弾性体層を形成し、特定の物を保持する技術で、その内径によって保持する物が限られた。また、挿入する入口が狭いため、入口をよく見ずに見当で鉛筆または警棒を挿入することは難しい問題点があったが、本発明によって、いろいろな物がソフトに保持することができ、挿入径が挿入する小物の大きさより大きく余裕があるため、入口を見ずに見当で楽に挿入できる効果がある。
従来の特許文献３は、一方にふたがあり一方に開口部のある筒状の外枠の内面に切り込みの入った薄いゴム板をふたと平行に数枚並べて、開口部からペン類を挿入し把持するペンホルダーの技術で、筒状の内面に数枚の薄いゴム板を設ける工程が複雑で大量生産には向かない技術である。また、外径が筒状と限定している点は、ペンホルダーでは普遍的でよいが、他の小物の装着に使用するには形が画一的過ぎる嫌いがある問題点があったが、本発明によって、適度の厚みを持ち適度の復原性のある弾力体の一枚のシートを本体の開口部の表面に設けることにより、円筒内に数枚のゴム板を装着するよりはるかに製作工程もすっきりと簡単になる効果がある。
本発明は、本体の形態を固定していないため、いろいろな保持する物に機能や外形を合わせることができる効果がある。
更に、本体の背面に設ける装置によって、壁面やその他各種の素材面や適度の大きさの開口面のある素材ならどこへでも設置でき、また、紐で吊るすこともできる効果がある。
本発明の屈曲自在柄を本体の背面に設けることで、小物を挿入するシート面を使用したい方向へ自在に向けることができ、使用しないときは簡単に遠ざけておくことができる効果がある。
本発明の適度の復原性のある弾性体のシートを本体の開口部の表面に設けることによって、構造がスリムになり、容易にシートをカートリッジにすることができ、シートの保持力が弱まったり、保持する小物を他の小物の目的に合わせたりして、取り替え自在にできる効果がある。
【図面の簡単な説明】
【図１】本発明の一実施例を示す斜視図である。
【符号の説明】
１  本体
２  シート
３  切り込み
４  取り付け装置
【図１】
2004175086.tif 000003